(57)【要約】      （修正有）【課題】簡便に実験して禁煙教育に供することができ、視覚・感覚に訴えて副流煙の害を直感的に実感させることができるとともに、同時に主流煙の実験も可能とする煙害実験装置を提供する。【解決手段】煙害実験装置は、前面の視認窓１２と、一側面にタバコを装着する喫煙口と他の側面にタバコの煙を吸引する吸煙口とを有し、タバコを内部に保持するディスプレイボックス１１と、ディスプレイボックスの外側から喫煙口に喫煙ホース１９を介して連結して、ディスプレイボックス内の空気を吸引する喫煙ポンプ２０と、ディスプレイボックスの外側から吸煙口に吸煙ホース３３を介して連結して、タバコの煙に含有する成分を付着して変色する付着材を封入した第１の肺カートリッジ３４ａと、第１の肺カートリッジに排気ホース３６を介して連結して、第１の肺カートリッジ内の空気を排出する排気ポンプ３７と、を備える。【選択図】図５
0003217994.tif 000002
【実用新案登録請求の範囲】
【請求項１】
前面の視認窓と、一側面にタバコを装着する喫煙口と、他の側面にタバコの煙を吸引する吸煙口と、を有する、タバコを内部に保持するディスプレイボックスと、
前記ディスプレイボックスの外側から前記喫煙口に喫煙ホースを介して連結して、前記ディスプレイボックス内の空気を吸引する喫煙ポンプと、
前記ディスプレイボックスの外側から前記吸煙口に吸煙ホースを介して連結する、タバコの煙に含有する成分を付着する付着材を封入した第１の肺カートリッジと、
前記第１の肺カートリッジに排気ホースを介して連結して、該第１の肺カートリッジ内の空気を排気口から排出する排気ポンプと、
を備える煙害実験装置。
【請求項２】
左右の肺対応部分に一対の窓が形成された第１の人体上半身模型をさらに備え、
前記第１の人体上半身模型の一方の窓に前記吸煙ホースに連結する前記第１の肺カートリッジが取り付けられ、
前記第１の人体上半身模型の他方の窓に、前記吸煙ホースが連結されていないタバコの煙に含有する成分を付着する付着材を封入した第２の肺カートリッジが取り付けられ、
前記吸煙ホースの一端は前記第１の人体上半身模型の口部を通る、請求項１に記載の煙害実験装置。
【請求項３】
前記ディスプレイボックスが内側に取り付けられる開口部を前面に有する本体と、該本体を支持するベースと、を有するディスプレイボックススタンドをさらに備える、請求項１又は２のいずれか一項に記載の煙害実験装置。
【請求項４】
左右の肺対応部分に一対の窓が形成された第２の人体上半身模型をさらに備え、
前記第２の人体上半身模型の一方の窓部背面に前記喫煙ホースに連結するタバコの煙に含有する成分を付着する付着材を封入した第３の肺カートリッジが取り付けられ、
前記第２の人体上半身模型の他方の窓部背面に前記喫煙ホースが連結されていないタバコの煙に含有する成分を付着する付着材を封入した第４の肺カートリッジが取り付けられ、
前記喫煙ホースの一端は前記第２の人体上半身模型の口部を通る、請求項２又は３のいずれか一項に記載の煙害実験装置。
【請求項５】
前記第１の人体上半身模型は、左右の肺対応部分に外側の周縁部を残して一対の窓が形成され、窓に対応する打ち抜き片は観音開き状に開閉され、左右に湾曲して前記打ち抜き片の端縁同士を連結する可撓性のある板材からなる、請求項２〜４のいずれか一項に記載の煙害実験装置。
【請求項６】
前記付着材は、シート状の脱脂綿である、請求項１〜５のいずれか一項に記載の煙害実験装置。
【考案の詳細な説明】
【技術分野】
【０００１】
本考案は、タバコを吸うことによって人体に及ぼす影響を視覚的に理解するために使用される、煙害実験装置に関するものである。
【背景技術】
【０００２】
タバコが人体に悪影響を及ぼすことは広く知られており、子供たちにタバコの恐ろしさを教えてタバコを吸わないようにするための禁煙教育の必要性が叫ばれている。そこで、タバコの恐ろしさを視覚的、感覚的に教える煙害実験装置が求められていた。
【０００３】
このような煙害実験装置として、例えば特許文献１には、タバコから発生する煙に含まれるタバコ成分を付着材に付着させ、視覚的にタバコの害を理解できるようにした煙害実験装置が開示されている。しかしながら、当該煙害実験装置は、喫煙者が吸い込む主流煙を対象とした煙害実験装置であり、主流煙よりも多くの有害物質が含まれているにも拘らず、喫煙者の周囲の喫煙していない他人が吸い込むタバコの先から立ち上る副流煙には対応しておらず、受動喫煙の防止を図るため健康増進法の一部が改正されるなど対策が急がれている受動喫煙は対象とはなっていなかった。
【０００４】
これに対して、例えば特許文献２には、ケース内に充満するタバコの煙（副流煙）をケース内に内蔵されている送風ファンでフィルターの表面に付着させ、有害物質を確認する煙害実験装置が開示されている。しかしながら、当該装置は大掛かりであり、簡便に実験して禁煙教育に供するには適していなかった。また、機械的にフィルターにタバコの煙（副流煙）を付着させていることから、副流煙の人体に対する害を直感的に実感させることが難しかった。
【先行技術文献】
【特許文献】
【０００５】
【特許文献１】実用新案登録第３０３６９３４号公報
【特許文献２】実用新案登録第３１０３２９６号公報
【考案の概要】
【考案が解決しようとする課題】
【０００６】
本考案は、簡便に実験して禁煙教育に供することができ、視覚・感覚に訴えて副流煙の害を直感的に実感させることができる煙害実験装置を提供することを課題とする。併せて、同時に主流煙の実験も可能とする煙害実験装置を提供することを課題とする。
【課題を解決するための手段】
【０００７】
本考案に係る煙害実験装置は、前面の視認窓と、一側面にタバコを装着する喫煙口と、他の側面にタバコの煙を吸引する吸煙口と、を有する、タバコを内部に保持するディスプレイボックスと、
ディスプレイボックスの外側から喫煙口に喫煙ホースを介して連結して、ディスプレイボックス内の空気を吸引する喫煙ポンプと、
ディスプレイボックスの外側から吸煙口に吸煙ホースを介して連結する、タバコの煙に含有する成分を付着する付着材を封入した第１の肺カートリッジ と、
第１の肺カートリッジに排気ホースを介して連結して、第１の肺カートリッジ内の空気を排気口から排出する排気ポンプと、
を備える煙害実験装置である。
【０００８】
本考案に係る煙害実験装置であれば、簡便に受動喫煙の煙害を実験し、視覚的に実感することができる。
【０００９】
本考案に係る煙害実験装置は、左右の肺対応部分に一対の窓が形成された第１の人体上半身模型をさらに備え、
第１の人体上半身模型の一方の窓に吸煙ホースに連結する第１の肺カートリッジが取り付けられ、
第１の人体上半身模型の他方の窓に、吸煙ホースが連結されていないタバコの煙に含有する成分を付着する付着材を封入した第２の肺カートリッジが取り付けられ、
吸煙ホースの一端は前記第１の人体上半身模型の口部を通る、煙害実験装置である。
【００１０】
本考案に係る煙害実験装置であれば、タバコの煙の成分を付着して着色する第１の肺カートリッジとタバコの煙の成分を付着することなく着色しない第２の肺カートリッジを比較することにより、より直感的に受動喫煙の煙害を視覚的に実感することができる。
【００１１】
本考案に係る煙害実験装置は、ディスプレイボックスが内側に取り付けられる開口部を前面に有する本体と、本体を支持するベースと、を有するディスプレイボックススタンドをさらに備える、煙害実験装置である。
【００１２】
本考案に係るディスプレイボックスであれば、確実に自立し、安全に実験を行うことができる。
【００１３】
本考案に係る煙害実験装置は、左右の肺対応部分に一対の窓が形成された第２の人体上半身模型をさらに備え、
第２の人体上半身模型の一方の窓に喫煙ホースに連結するタバコの煙に含有する成分を付着する付着材を封入した第３の肺カートリッジが取り付けられ、
第２の人体上半身模型の他方の窓に喫煙ホースが連結されていないタバコの煙に含有する成分を付着する付着材を封入した第４の肺カートリッジが取り付けられ、
喫煙ホースの一端は第２の人体上半身模型の口部を通る、煙害実験装置である。
【００１４】
本考案に係る煙害実験装置であれば、受動喫煙（副流煙）の煙害に加えて、同時に喫煙（主流煙）による煙害についても実験を行い、実感することができる。
【００１５】
本考案に係る煙害実験装置の第１の人体上半身模型は、左右の肺対応部分に外側の周縁部を残して一対の窓が形成され、窓に対応する打ち抜き片は観音開き状に開閉され、左右に湾曲して前記打ち抜き片の端縁同士を連結する可撓性のある板材からなる、煙害実験装置である。
【００１６】
本考案に係る煙害実験装置の人体上半身模型であれば、自立することが可能である。
【００１７】
本考案に係る煙害実験装置の付着材は、シート状の脱脂綿である、煙害実験装置である。
【００１８】
付着材がシート状の脱脂綿であれば、素材が白くタバコの有害物質、含有量も多く褐色を呈し視認が容易なタールの付着による変色が顕著に表れ、又、繊維密度が粗く空気の流通が良く、煙害実験装置の付着材として適している。
【考案の効果】
【００１９】
本考案であれば、簡便に実験して禁煙教育に供することができ、視覚・感覚に訴えて副流煙の害を直感的に実感させることができる煙害実験装置を提供することができる。併せて、同時に主流煙の実験も可能であり、総合的に禁煙教育を実施することができる。
【図面の簡単な説明】
【００２０】
【図１】図１は、本考案に係る第１の実施形態の煙害実験装置の正面図である。
【図２】図２は、本考案に係る肺カートリッジの構成を示す。
【図３】図３は、第２の実施形態の煙害実験装置の正面図である。
【図４】図４は、本考案に係る第３の実施形態の煙害実験装置の正面図である。
【図５】図５は、本考案に係る第４の実施形態の煙害実験装置の正面図である。
【図６】図６は、本考案に係る第４の実勢形態の煙害実験装置の斜視図である。
【考案を実施するための形態】
【００２１】
先ず、本考案の第１の実施形態について説明する。
【００２２】
図１に、本実施形態に係る煙害実験装置１０１の構成を示す。本実施形態に係る煙害実験装置１０１は、受動喫煙の煙害教育用の煙害実験装置の基本構成であり、ディスプレイボックス１１、第１の肺カートリッジ３４ａ、及び喫煙ポンプ２０からなる。
【００２３】
ディスプレイボックス１１は、前面に透明なシートを装着する視認窓１２と、一側面にタバコ５を装着する喫煙口１７と、他の側面にタバコ５の煙を吸引する吸煙口３１と、を有する、筐体である。ディスプレイボックス１１は、板状の段ボール紙からなるが、自立する強度があれば良く、例えば、厚紙、樹脂、又は木材などであっても良い。視認窓１２には、透明な樹脂製のシートが装着され、ディスプレイボックス１１の内部の状況を観察することができる。また、ディスプレイボックス１１の内部には、タバコ５から落下する灰を受けるバット１６が収納されている。
【００２４】
喫煙口１７には、中央部を貫通する孔を有するゴム製の喫煙口パッキング１８が着脱自在に挿入され、ディスプレイボックス１１の内側に位置する喫煙口パッキング１８の孔には、タバコ５が着脱自在に装着され、外側には喫煙ホース１９を介して手動式の喫煙ポンプ２０が着脱自在に装着される。
【００２５】
一方、吸煙口３１には、喫煙口パッキング１８と同様の吸煙口パッキング３２が着脱自在に挿入され、肺カートリッジ３４に着脱自在に連結する吸煙ホース３３の一端が吸煙口パッキング３２の孔の外側に着脱自在に挿入されている。
【００２６】
図２に第１の肺カートリッジ３４ａ（以下、肺カートリッジを総称する場合には、単に「肺カートリッジ３４」という。）の構成を示す。第１の肺カートリッジ３４ａは、１ないし２ミリメートル程度の厚さのシート状の付着材３８を封入する樹脂製の袋状の樹脂袋３９からなり、少なくとも一面が透明であって、内蔵する付着材３８を観察することができる。樹脂袋３９は、上部に吸煙ホース３３を介してディスプレイボックス１１の吸煙口パッキング３２に着脱自在に連結する吸気口４０及び下部に排気ホース３６を介して第１の肺カートリッジ３４ａ中の空気を排気する手動の排気ポンプ３７に着脱自在に連結する。なお、喫煙ポンプ２０及び排気ポンプ３７は、手動に限られず、例えば電動であっても良い。
【００２７】
付着材３８には、素材が白くタバコの有害物質、含有量も多く褐色を呈し視認が容易なタールの付着による変色が顕著に表れ、又、繊維密度が粗く空気の流通が良い脱脂綿が用いられているが、タバコの有害物質の付着状態が視覚的に認識でき、空気の流通の妨げにならないものであれば良く、脱脂綿に限られず、例えば、不織布、布、織物などであっても良い。
【００２８】
次に、本考案の第２の実施形態について説明する。
【００２９】
図３は、第２の実施形態に係る煙害実験装置１０２の構成を示す。本実施形態に係る煙害実験装置１０２は、ディスプレイボックス１１と、受動喫煙ディスプレイ２と、及び喫煙ポンプ２０からなり、受動喫煙の煙害を視覚的により分かり易くし、教育効果の向上を図るものである。
【００３０】
ディスプレイボックス１１及び喫煙ポンプ２０は、第１の実施形態と同一であり、説明を省略する。
【００３１】
受動喫煙ディスプレイ２は、第１の人体上半身模型７（以下、単に「人体模型」とも言う。）と、ディスプレイボックス１１に連結する第１の肺カートリッジ３４ａと、ディスプレイボックス１１に連結しない第２の肺カートリッジ３４ｂと、からなる。
【００３２】
第１の人体模型７は、胴体左右の肺に対応して一対の窓４２が形成してある。窓４２は、観音開きになるように一側を残して撃ち抜かれており、第１の人体模型７を湾曲させて一対の打ち抜き片（不図示）の端縁を適宜係止構造（不図示）によって連結することにより、第１の人体模型７が自立できるようになっている。また、第１の人体模型７の背面には、一方の肺部窓４２にディスプレイボックス１１に連結する第１の肺カートリッジ３４ａが着脱自在に取り付けて、他方の窓４２にディスプレイボックス１１に連結しない第２の肺カートリッジ３４ｂが着脱自在に取り付けてある。なお、肺カートリッジ３４ａ、３４ｂの窓４２への取り付け構造は任意であるが、例えば、肺カートリッジ３４ａ、３４ｂの縁部に切り込みを設けて窓縁に係止させても良い。
【００３３】
第１の肺カートリッジ３４ａは、第１の実施形態に係る第１の肺カートリッジ３４ａと同一の構成であるが、一端が吸煙口パッキング３２に取り付けられる吸煙ホース３３は、人体模型７の口の位置に相当する口部４１を経由して他端が吸気口４０に着脱自在に取り付けられている。一方、第２の肺カートリッジ３４ｂは、タバコの有害物質により変色した第１の肺カートリッジ３４ａとタバコの影響がなく変色しない第２の肺カートリッジ３４ｂとの色の違いを比較観察するためのものであり、吸煙ホース３３および排気ポンプ３７を取り付けていない。
【００３４】
次に、本考案の第３の実施形態について説明する。
【００３５】
図４は、第３の実施形態に係る煙害実験装置１０３の構成を示す。本実施形態に係る煙害実験装置１０３は、ディスプレイスタンド４と、受動喫煙ディスプレイ２と、及び喫煙ポンプ２０とからなり、ディスプレイボックス１１を確実に自立させるとともに、受動喫煙の煙害を更に視覚的に訴えて、教育効果の向上を更に図るものである。
【００３６】
本実施形態に係る、受動喫煙ディスプレイ２と喫煙ポンプ２０は、第２の実施形態に係る、受動喫煙ディスプレイ２と喫煙ポンプ２０と同一であり、説明を省略する。なお、受動喫煙ディスプレイ２の代わりに、第1の肺カートリッジ３４ａであっても良い。
【００３７】
ディスプレイスタンド４は、ディスプレイボックス１１が内側に取り付けられる開口部を前面に有する本体１５と、本体１５を支持するベース１４とからなる。ベース１４は、上面に本体１５を嵌め込む開口を設けた板状体からなる箱状体である。また、本体１５は、天面が開放されており、上方からディスプレイボックス１１を着脱可能に嵌め込み可能とし、両側面に喫煙口パッキングと吸煙口パッキングに対応したＵ字状の切り込みを有する。また、本体１５の前面には、ディスプレイボックス１１の視認窓１２に対応した開口部２１を有し、前面、側面及び背面との稜線の少なくとも２つの稜線には、本体１５の内側に折り込まれた切り込み２２が、上方から嵌め込まれたディスプレイボックス１１が所定の位置に止まるように設けられている。
【００３８】
なお、図４に示したディスプレイスタンド４には、煙害を想起させる装飾が一例として施されているが、この装飾に限定されるものではない。
【００３９】
次に、本考案の第４の実施形態について説明する。
【００４０】
図５は、第４の実施形態に係る煙害実験装置１０４の構成を示し、図６は、第４の実施形態に係る煙害実験装置１０４の斜視図である。本実施形態に係る煙害実験装置１０４は、ディスプレイスタンド４と、受動喫煙ディスプレイ２と、及び喫煙ディスプレイ３からなり、受動喫煙（副流煙）と喫煙（主流煙）の煙害を同時に視覚的に訴えて、総合的な煙害の教育効果の向上を図るものである。
【００４１】
本実施形態に係る、ディスプレイボックススタンド４と受動喫煙ディスプレイ２は、第３の実施形態に係る、ディスプレイボックススタンド４と受動喫煙ディスプレイ２と同一であり、説明を省略する。なお、第3の実施形態と同様に、受動喫煙ディスプレイ4の代わりに、第1の肺カートリッジ３４ａであっても良い。
【００４２】
喫煙ディスプレイ３は、第２の人体模型８と、ディスプレイボックス１１に連結する第３の肺カートリッジ３４ｃと、ディスプレイボックス１１に連結しない第４の肺カートリッジ３４ｄと、からなる。
【００４３】
第２の人体模型８は、第２の実施形態の人体模型７と同一のものであり、第２の人体模型８には、一方の窓４２にディスプレイボックス１１に連結する第３の肺カートリッジ３４ｃが着脱自在に取り付けて、他方の窓４２にディスプレイボックス１１に連結しない第４の肺カートリッジ３４ｄが着脱自在に取り付けてある。第３の肺カートリッジ３４ｃは、第１の実施形態に係る第１の肺カートリッジ３４ａと同様の構成であるが、吸気口４０は、口部４１を経由して喫煙口パッキング１８に取り付けられた喫煙ホース１９に着脱自在に接続され、排気口３５は、排気ホース３６を介して喫煙ポンプ２０に着脱自在に連結している。一方、第４の肺カートリッジ３４ｄは、タバコの有害物質により変色した第３の肺カートリッジ３４ｃとタバコの影響がなく変色しない第４の肺カートリッジ３４ｄとの色の違いを比較観察するためのものであり、排気ホース３６および喫煙ポンプ２０を取り付けていない。
【００４４】
なお、各実施形態の受動喫煙ディスプレイ２及び喫煙ディスプレイ３は、其々煙害を直感的に実感できるよう人体模型７、８としているが、各肺カートリッジ３４を保持し、煙害を視認することが可能であれば良く、人体模型に限られず、形状は任意で良い。
【００４５】
次に、本考案の第３の実施形態に係る煙害実験装置１０３を用いた受動喫煙の煙害を実験する使用方法について説明する。
【００４６】
先ず、ディスプレイスタンド４の本体１５の切り込み４３を指で押し込み、凹みを作った上で、本体１５をベース１４の上面に設けられた開口に嵌め込む。そして、ディスプレイボックス１１の中に水を入れたバット１６を配置した上で、視認窓１２を前面としてディスプレイボックス１１を本体１５に上方から挿入し、本体１５の開口部２１を通して視認窓１２からディスプレイボックス１１の内部を観察できるようにする。
【００４７】
次に、受動喫煙ディスプレイ２の人体模型７に肺カートリッジ３４を２つ装着し、一方の肺カートリッジ３４には、排気ポンプ３７を取り付け、吸煙ホース３３を吸気口４０から口部４１を経由して喫煙口パッキング１８に取り付けて第１の肺カートリッジ３４ａとする。そして、喫煙口パッキング１８をディスプレイボックス１１の喫煙口１７に挿入する。
【００４８】
次に、喫煙ポンプ２０に連結する喫煙ホース１９を喫煙口パッキング１８に挿入の上、タバコ５を喫煙口パッキング１８に装着する。そして、ディスプレイボックス１１の喫煙口１７に喫煙口パッキング１８を挿入する。
【００４９】
これらの実験準備を完了させた上で、予備実験として、ディスプレイボックス１１内の空気、即ちタバコの煙が発生していしておらず清浄な空気を排気ポンプ３７を操作し、第１の肺カートリッジ３４ａに導き、第１の肺カートリッジ３４ａ内の付着材３８にはタバコの煙の有害物質が付着することなく、付着材３８が変色せず、第２の肺カートリッジ３４ｂ内の付着材３８と同等の白さを保つことを確認する。
【００５０】
清浄な空気では付着材３８が変色しないことを確認の上で、喫煙口パッキング１８をディスプレイボックス１１から抜き出し、喫煙口パッキング１８に装着されたタバコ５に火を付けた上で、ディスプレイボックス１１の喫煙口１７に喫煙口パッキング１８を再度挿入する。次に、喫煙ポンプ２０を操作してタバコ５を燃焼させ、ディスプレイボックス１１内にタバコの煙を充満させる。ディスプレイボックス１１内にタバコの煙（副流煙）が充満したことを確認の上、排気ポンプ３７を操作し、タバコの煙を肺カートリッジ３４ａに導き、肺カートリッジ３４ａ内の付着材３８にタバコの煙の有害物質を付着させ、付着材３８が褐色に変色することを確認する。
【００５１】
次に、第４の煙害実験装置を用いた受動喫煙と喫煙の煙害を同時に実験する方法について説明する。
【００５２】
受動喫煙の煙害の実験と同様に、ディスププレイスタンド３と受動喫煙ディスプレイ２の人体模型７を準備する。加えて、喫煙ディスプレイ用の人体模型８に肺カートリッジ３４を２つ装着し、一方の第３の肺カートリッジ３４ｃには、喫煙ポンプ２０を取り付け、喫煙ホース１９を吸気口４０から口部４１を経由して喫煙口パッキング１８に装着する。そして、喫煙口パッキング１８にタバコを装着した上で、ディスプレイボックス１１の喫煙口１７に喫煙口パッキング１８を挿入する
【００５３】
これらの実験準備を完了させた上で、予備実験として、ディスプレイボックス１１内の空気、即ちタバコの煙が発生していしておらず清浄な空気を排気ポンプ３７を操作し、第１の肺カートリッジ３４ａに導き、第１の肺カートリッジ３４ａ内の付着材３８にはタバコの煙の有害物質が付着することなく、付着材３８が変色せず、第２の肺カートリッジ３４ｂ内の付着材３８と同等の白さを保つことを確認する。併せて、喫煙ポンプ２０を操作し、ディスプレイボックス１１内の清浄な空気を喫煙ディスプレイ３に装着した第３の肺カートリッジ３４ｃに導き、第３の肺カートリッジ３４ｃ内の吸着付着材３８も変色することなく、第４の肺カートリッジ３４ｄ内の付着材３８と同等の白さを保つことを確認する。
【００５４】
清浄な空気では受動喫煙ディスプレイ２及び喫煙ディスプレイ３の付着材３８が変色しないことを確認の上で、喫煙口パッキング１８をディスプレイボックス１１から抜き出し、喫煙口パッキング１８に装着されたタバコ５に火を付けた上で、ディスプレイボックス１１の喫煙口１７に喫煙口パッキング１８を再度挿入する。次に、喫煙ポンプ２０を操作してタバコ５を燃焼させ、ディスプレイボックス１１内にタバコの煙を充満させる。ディスプレイボックス１１内にタバコの煙（副流煙）が充満したことを確認の上、排気ポンプ３７を操作し、タバコの煙を第１の肺カートリッジ３４ａに導き、受動喫煙ディスプレイ２の第１の肺カートリッジ３４ａ内の付着材３８が副流煙により褐色に変色することを確認する。また、喫煙ポンプ２０を操作し、タバコの煙（主流煙）を喫煙ディスプレイ３に装着した第３の肺カートリッジ３４ｃに導き、第３の肺カートリッジ３４ｃ内の付着材３８が主流煙により褐色に変色することを確認する。
【産業上の利用可能性】
【００５５】
本考案に係る煙害実験装置であれば、簡便に実験して禁煙教育に供することができ、視覚・感覚に訴えて副流煙の害を直感的に実感させることができる煙害実験装置を提供することができる。併せて、同時に主流煙の害も直感的に時間させることができ煙害実験装置を提供することができる。
【符号の説明】
【００５６】
１０１…第１の実施形態に係る煙害実験装置
１０２…第２の実施形態に係る煙害実験装置
１０３…第３の実施形態に係る煙害実験装置
１０４…第４の実施形態に係る煙害実験装置
２…受動喫煙ディスプレイ
３…喫煙ディスプレイ
４…ディスプレイボックススタンド
５…タバコ
７…第１の人体上半身模型（人体模型）
８…第２の人体上半身模型（人体模型）
１１…ディスプレイボックス
１２…視認窓
１４…ベース
１５…本体
１６…バット
１７…喫煙口
１８…喫煙口パッキング
１９…喫煙ホース
２０…喫煙ポンプ
２１…開口部
２２…凹み部
３１…吸煙口
３２…吸煙口パッキング
３３…吸煙ホース
３４…肺カートリッジ
３４ａ…第１の肺カートリッジ
３４ｂ…第２の肺カートリッジ
３４ｃ…第３の肺カートリッジ
３４ｄ…第４の肺カートリッジ
３５…排気口
３６…排気ホース
３７…排気ポンプ
３８…付着材
３９…樹脂袋
４０…吸気口
４１…口部
４２…肺部窓
４３…切り込み
【図１】
0003217994.tif 000003
【図２】
0003217994.tif 000004
【図３】
0003217994.tif 000005
【図４】
0003217994.tif 000006
【図５】
0003217994.tif 000007
【図６】
0003217994.tif 000008